(57)【特許請求の範囲】
【請求項１】
下方の画像読取装置に対して開閉自在に取り付けられる上方ユニットを構成する自動原稿送り装置であって、
前記上方ユニットは、前記原稿シートの一方の面の画像を読み取るための第１のイメージセンサと、該イメージセンサの読取面と対向して搬送される原稿シートを前記読取面側に押圧するためのバックアップガイド手段と、を収納し、
前記バックアップガイド手段は、前記上方ユニットにおいて下方の画像読取装置側に着脱可能に取り付けられことを特徴とする画像読取手段を具備する自動原稿送り装置。
【請求項２】
前記上方ユニットは、画像読取装置の上に閉じられたときに、該画像読取装置における原稿シートの他方の面の画像を読み取るための第２のイメージセンサを下方に配置するプラテンに接し、
前記バックアップガイド手段は、前記プラテンに当接するプラテンカバーの内側に配置されたことを特徴とする請求項１に記載の自動原稿送り装置。
【請求項３】
前記プラテンカバーは、少なくとも前記バックアップガイド手段を収納する部分が着脱可能に構成されたことを特徴とする請求項２に記載の自動原稿送り装置。
【請求項４】
前記バックアップガイド手段は、前記第１のイメージセンサに対向するガイド部材と、前記第１のイメージセンサに隣接して配置された搬送ローラ対を構成する一方のローラと、を支持するガイドユニットで構成されたことを特徴とする請求項１に記載の自動原稿送り装置。
【請求項５】
前記搬送ローラは、前記第１のイメージセンサを挟むように原稿搬送方向の前後に設けられたことを特徴とする請求項４に記載の自動原稿送り装置。
【請求項６】
前記バックアップガイド手段は、原稿搬送方向の下流側を支点に回動可能に支持されることにより、前記第１のイメージセンサの読取面と該読取面に接するバックアップガイド面が露出するように構成されたことを特徴とする請求項１又は２に記載の自動原稿送り装置。
【請求項７】
原稿受入トレイ上に積載された原稿シートを一枚づつ繰り出すための自動原稿送り手段によって搬送される前記原稿シートの表裏両面の画像を読み取る画像読取装置であって、
前記自動原稿送り手段によって搬送される原稿シートの一方の面の画像を読み取るための第１のイメージセンサと、
前記第１のイメージセンサに対向するバックアップガイド手段と、
前記自動原稿送り手段によって搬送される原稿シートの他方の面の画像及び載置原稿の画像を読み取るための第２のイメージセンサと、
前記第２のイメージセンサに対向するシートスループラテンと、
前記シートスループラテンと隣接し、前記載置原稿を支持するためのブックプラテンと、を具備し、
前記第１のイメージセンサと前記バックアップガイド手段を収納する自動原稿送り装置は上方ユニットとして、前記第２のイメージセンサと前記シートスループラテンと前記ブックプラテンとを収納する下方ユニットに対して開閉自在に取付けられ、前記バックアップガイド手段は、下方ユニット側に着脱可能に取り付けられことを特徴とする画像読取装置。
【請求項８】
前記バックアップガイド手段は、前記シースループラテン及びブックプラテンに当接するプラテンカバーの内側に配置されたことを特徴とする請求項７に記載の画像読取装置。
【請求項９】
前記プラテンカバーは、少なくとも前記バックアップガイド手段を収納する部分が着脱可能に構成されたことを特徴とする請求項８に記載の画像読取装置。
【請求項１０】
前記バックアップガイド手段は、原稿搬送方向の下流側を支点に回動可能に支持されることにより、前記第１のイメージセンサの読取面と該読取面に接するバックアップガイド面が露出するように構成されたことを特徴とする請求項７に記載の画像読取装置。
【発明の詳細な説明】
【０００１】
【発明の属する技術分野】
本発明は、原稿受入トレイ上に積載された原稿シートを一枚づつ繰り出すと共に、イメージセンサを具備する自動原稿送り装置（以下、「ＡＤＦ」という）に関し、さらに、ＡＤＦを上方ユニットとして開閉自在に搭載した原稿シートの表裏両面の画像を読み取るための画像読取装置に関する。
【０００２】
【従来の技術】
通常スキャナと呼ばれる画像読取装置は、原稿画像を光学的に読み取り、これを電子データに変換して外部のパーソナルコンピュータ、複写機、ファクシミリ装置等の画像形成装置に送信する。多くの画像形成装置は、このような画像読取装置を具備する。
【０００３】
画像読取装置は、ＡＤＦによって原稿受入トレイから一枚づつ繰り出されて搬送されてくる原稿シートに光を照射する光源と原稿面からの反射光を受光するイメージセンサとを具備する。ここで、画像読取装置には、ＣＣＤ等のイメージセンサを利用した縮小光学系タイプのものと、原稿の横幅方向（主操作方向）に渡るライン形状の光源とイメージセンサを密着的に配置した等倍光学系密着タイプのものが存在する。
【０００４】
何れのタイプのイメージセンサであっても、原稿の画像を精緻に且つブレなく読み取るためには、画像読取位置において原稿シートを所定の一定速度で安定走行させると共に、原稿シートを画像読取装置の画像読取面に極力近接させて走行させることが重要である。特に、等倍光学系の密着型イメージセンサは、光学縮小系のものと比較して焦点深度が極めて浅いために、原稿シートを画像読取装置の画像読取面に密着走行させる必要性がある。このため、等倍光学系の密着型イメージセンサは、原稿がなるべく直線的に走行する位置に配置されることが望ましい。
【０００５】
ところで、最近の画像読取装置においては、自動原稿給紙装置によって一枚づつ搬送される原稿シートを、２つの別個のイメージセンサを設けることにより、スイッチバック等の複雑な搬送制御を行うことなく１回の原稿搬送パスで、原稿シートの表裏両面の画像を読み取るように構成された両面読取機能を有するものが提案されている。
【０００６】
このような両面読取機能を有する従来の画像読取装置においては、原稿シートの少なくとも一方の面の画像を読み取るための読取装置は、ＡＤＦのコンパクト化を図るために、ＡＤＦユニット内に配置されるため等倍光学系の密着型イメージセンサを用いて読み取るように構成した例が多い。
【０００７】
このような従来技術として、特開平１１−６９０８６号公報（以下、「第１の従来技術」という）は、原稿搬送経路上に原稿を挟んで両側に設けられた搬送される原稿を読み取るための第１読取手段と第２読取手段とを有してなる両面画像読取装置であって、原稿台ガラス（プラテン）上に載置された原稿を読み取るための読取装置は、第１の読取装置を兼用しており、第１の読取手段は縮小光学系で構成され、該第１の読取手段の下流側に配置された第２の読取装置は密着光学系で構成された両面画像読取装置を開示している。
【０００８】
また、特開平１１−６９０８７号公報（以下、「第２の従来技術」という）は、原稿搬送手段に原稿の搬送経路を示す曲線が略逆コの字型の曲線となるように前記原稿を搬送させながら、上流側に配置された第１片面読取手段に原稿の一方の面を読み取らせるとともに、前記第１片面読取手段と前記曲線を挟んで対向するように設けられる下流側に配置された第２片面読取手段に原稿の他方の面を読み取らせるように構成した原稿読取装置を開示している。そして、この原稿読取装置においては、前記第１片面読取手段の読取面に対向するガイド板を回動可能に取り付けることにより第１片面読取手段を露出させることができるようにして、装置本体のメンテナンスおよびジャム処理を容易に行うことができるように構成されている。
【０００９】
【発明が解決しようとする課題】
ところで、読取手段及びこれに対向するバックアップガイドは、走行する原稿と摺動接触するために原稿シートの紙紛、原稿上の未乾燥のインキ、トナー等の汚れが付着する。これをそのまま放置すると、その後の画像読み取りにおいて黒筋状のノイズが生じることとなる。また、このような汚れがバックアップガイド面に付着した場合でも、薄手原稿を読み取る際に同様の黒スジ状のノイズが生じてしまう。このため、読取装置の読取面とこれに対向するバックアップガイド面は、その都度又は定期的にクリーニングする必要性がある。
【００１０】
しかしながら、前記第１の従来技術においては、ＡＤＦユニット内に内蔵される等倍光学系密着タイプである第１読取手段が、原稿が直線的に走行する原稿排紙トレイの直前に配置されていることから原稿シートの画像読取面への密着走行性については問題ないものの、第１読取手段がユニット内の奥部に位置しているために、読取装置の読取面とこれに対向するバックアップガイド面のクリーニングが極めて困難であり、メンテナンス性に問題がある。
【００１１】
一方、前記第２の従来技術においては、第１片面読取手段の読取面に対向するガイド板が回動可能に設けることにより第１片面読取手段が露出するようには構成されているものの、当該第１片面読取手段は、原稿搬送手段に原稿の搬送経路を示す曲線が略逆コの字型の曲線部に配置されるものであって、当該第１片面読取手段は、曲線部の内側に配置されることとなり、原稿シートの当該第１片面読取手段への密着走行性に劣る。また、このような位置で原稿シートを当該読取部に密着走行させようとすればジャムが生じやすくなる。
【００１２】
本発明は、ＡＤＦユニット内に内蔵される第１の読取手段を原稿シートの密着走行性が確保できる位置に配置するとともに、読取装置の読取面とこれに対向するバックアップガイド面のクリーニングが容易で、メンテナンス性に優れたＡＤＦ及び当該ＡＤＦを搭載した画像読取装置を提供することを目的とする。
【００１３】
【課題を解決するための手段】
このため、本発明は、下方の画像読取装置に対して開閉自在に取り付けられる上方ユニットを構成する自動原稿送り装置であって、前記上方ユニットは、前記原稿シートの一方の面の画像を読み取るための第１のイメージセンサと、該イメージセンサの読取面と対向して搬送される原稿シートを前記読取面側に押圧するためのバックアップガイド手段と、を収納し、前記バックアップガイド手段は、前記上方ユニットにおいて下方の画像読取装置側に着脱可能に取り付けられことを特徴とする自動原稿送り装置を提供するものである。
【００１４】
そして、前記上方ユニットは、画像読取装置の上に閉じられたときに、該画像読取装置における原稿シートの他方の面の画像を読み取るための第２のイメージセンサを下方に配置するプラテンに接し、前記バックアップガイド手段は、前記プラテンに当接するプラテンカバーの内側に配置される。ここで、前記プラテンカバーは、少なくとも前記バックアップガイド手段を収納する部分が着脱可能に構成される。
【００１５】
また、前記バックアップガイド手段は、前記第１のイメージセンサに対向するガイド部材と、前記第１のイメージセンサに隣接して配置された搬送ローラ対を構成する一方のローラと、を支持するガイドユニットで構成される。さらに、前記搬送ローラは、前記第１のイメージセンサを挟むように原稿搬送方向の前後に設けられる。そして、前記バックアップガイド手段は、原稿搬送方向の下流側を支点に回動可能に支持されることにより、前記第１のイメージセンサの読取面と該読取面に接するバックアップガイド面が露出するように構成される。
【００１６】
本発明は、さらに、原稿受入トレイ上に積載された原稿シートを一枚づつ繰り出すための自動原稿送り手段によって搬送される前記原稿シートの表裏両面の画像を読み取る画像読取装置であって、前記自動原稿送り手段によって搬送される原稿シートの一方の面の画像を読み取るための第１のイメージセンサと、前記第１のイメージセンサに対向するバックアップガイド手段と、前記自動原稿送り手段によって搬送される原稿シートの他方の面の画像及び載置原稿の画像を読み取るための第２のイメージセンサと、前記第２のイメージセンサに対向するシートスループラテンと、前記シートスループラテンと隣接し、前記載置原稿を支持するためのブックプラテンと、を具備し、前記第１のイメージセンサと前記バックアップガイド手段を収納する自動原稿送り装置は上方ユニットとして、前記第２のイメージセンサと前記シートスループラテンと前記ブックプラテンとを収納する下方ユニットに対して開閉自在に取付けられ、前記バックアップガイド手段は、下方ユニット側に着脱可能に取り付けられことを特徴とする画像読取装置を提供するものである。ここで、前記バックアップガイド手段は、原稿搬送方向の下流側を支点に回動可能に支持されることにより、前記第１のイメージセンサの読取面と該読取面に接するバックアップガイド面が露出するように構成される。
【００１７】
【発明の実施の形態】
以下、本発明を図面に基づいて説明する。図１は本発明に係る画像読取装置に搭載された自動原稿送り装置を示す図であり、図２はその自動原稿送り装置の主要部を示す図である。
【００１８】
なお、この実施の形態では、画像読取装置は、連続的に原稿を繰出して画像読取部に給送する、いわゆるＡＤＦとしての機能を有する。
画像読取装置１は、下方ユニット２と、下方ユニット２に対してヒンジ等により開閉自在に取り付けられた上方ユニット３とを有している。
【００１９】
上方ユニット３は、原稿を積層して収容する給紙トレイ５と、給紙トレイ５上の原稿を搬送し、画像の読取処理を行なうＡＤＦ本体６と、が設けられ、読取処理された原稿が排紙される排紙トレイ７とを備えている。なお、給紙トレイ５上に積載された原稿は、原稿給紙路の側壁を形成する給紙ガイド５ａによって幅方向が規制されるようになっている。
【００２０】
上方ユニット３は、以下に詳述するように、原稿を搬送する搬送経路、原稿を搬送するローラ対、原稿の画像を読み取る光学読取装置等を収容した筐体６ａを有している。この筐体６ａには、前記給紙トレイ５に対応して原稿導入口６ｂと、前記排紙トレイ７に対応して原稿排出口６ｃが形成されており、原稿導入口６ｂから導入された原稿は、筐体内に配設された略Ｕ字状の搬送経路１０に沿って搬送され、読取処理が成された後、原稿排出口６ｃを介して前記排紙トレイ７上に排紙される。
【００２１】
前記筐体６ａの原稿導入口６ｂ部分には、給紙トレイ５上に積載された原稿に当接して、原稿を繰出すピックアップローラ１１が配設されており、このピックアップローラ１１の下流側には、繰出された原稿を確実に１枚分離する分離ローラ１２ａとこれに当接する分離パッド１２ｂとを有する用紙分離機構１２が配設されている。また、用紙分離機構１２の下流側の搬送経路には、レジストローラ対１４が配設されており、用紙分離機構によって分離された原稿の先端にたわみを形成して、スキューを除去するようになっている。
【００２２】
本実施の形態の画像読取装置は、搬送される原稿の両面の画像が読み取れるように、２つの光学読取装置を備えた構成となっている。
【００２３】
この内、第２の光学読取装置２０は、下方ユニット２内に収容されており、搬送経路１０に沿って連続配設された搬出ローラ対１６，１７の間に位置するシートスループラテン２１を通過する原稿の画像を読み取るようになっている。第２の光学読取装置２０は、縮小光学系センサを備えて構成されており、第１キャリッジ２２と、第２キャリッジ２４とを備えている。各キャリッジ２２，２４は、図示しないモータにより駆動され、互いに連動して所定の距離関係を保ちながらユニット内を図の左右方向に移動する。
【００２４】
キャリッジ２２には、原稿に対して照射光を投光するための光源２５と、光源２５によって投光された照射光の原稿からの反射光を受光して水平方向の反射光に方向を変換する反射鏡２６が搭載されている。また、キャリッジ２４には、反射鏡２６から反射された水平方向の反射光を垂直方向に反射させる反射鏡２８と、この反射鏡によって反射された垂直方向の光を前記反射鏡２６からの反射光とは反対の水平方向に反射させる反射鏡２９が搭載されている。
【００２５】
また、第２の光学読取装置２０は、下方ユニット２内に固定され、反射鏡２９からの反射光が入射する集光レンズ３０と、集光レンズ３０によって合焦された反射光を受光するＣＣＤイメージセンサ３１とを有している。このＣＣＤイメージセンサ３１によって検知された光は、ＣＣＤ基板３２によってデジタル信号に変換された後、各種の画像処理を行なう制御基板（図示せず）を介して複写機内のインターフェース基板に送信される。
【００２６】
なお、本実施の形態では、第２の光学読取装置２０は、ブック物等の厚手原稿を読取できるように構成されている。すなわち、下方ユニット２の上面に前記シートスループラテン２１と隣接して読取原稿を載置するためのプラテン（以下、「ブックプラテン」という）３５が設けられており、このブックプラテンに載置された原稿を、前記キャリッジ２２，２４が移動することで走査して画像を読み取るようになっている。このため、前記排紙トレイ７の下面には、ブック読みプラテン３５に載置された原稿を柔軟に押圧して固定するための弾力性を有する押圧部材７ａが固着されている。
【００２７】
上方ユニット３内には、第１の光学読取装置４０が設けられており、第２の光学読取装置２０によって読み取られた原稿の反対面側の画像を読み取るようになっている。第１の光学読取装置４０は、搬出ローラ対１７の下流側で排紙トレイの上流側の搬送経路が直線状に形成された位置に配設されており、シートスループラテン２１の読取位置Ｘ１を通過し、すくい上げガイド３８によってすくい上げられた原稿の反対側の画像を読み取るようになっている。
【００２８】
本実施の形態では、第１の光学読取装置４０は、等倍密着型イメージセンサを備えた構成、具体的には、原稿画像に対して照射光を投光する光源と、この照射光と原稿からの反射光を透過する保護ガラスと、この保護ガラスを透過する原稿からの反射光を検知する密着型ラインイメージセンサとを収容するコンタクトイメージセンサユニットとして構成されている。そして、当該ラインイメージセンサで検知された光は回路基板４１によってデジタル信号に変換された後、上述した下方ユニット２内に設けられた画像処理基板３３を介して複写機内のインターフェース基板に送信される。
【００２９】
そして、第１の光学読取装置４０の下流側には、排紙ローラ対５０が配設されており、この排紙ローラ対によって、読取処理された原稿は、原稿排出口６ｃを介して排紙トレイ７上に排紙される。さらに、この実施の形態では、排紙ローラ対５０を構成している互いに当接するローラは、それぞれ回転軸に沿ってイメージセンサの読取幅に略一致若しくはそれより長い長手方向への延出して固着された一体型ローラとなっており、原稿排出口６ｃを介して光学読取装置４０の読取ラインＸ２部分への外乱光の侵入を防止した構成となっている。このため、光学読取装置を、外乱光の影響を受けやすい等倍密着型イメージセンサによる構成にしても、外乱光の侵入がないため、ＣＣＤイメージセンサで検知されるアナログ信号には、ノイズによる影響がなくなり、上述した画像処理が正確に行なうことができる。
【００３０】
さらに、本発明に係る画像読取装置においては、前記搬送手段及び前記排紙手段は、２つの駆動モータ（図示しない）により駆動され、前記第１の駆動モータＭ１は前記給紙手段を駆動し、前記第２の駆動モータＭ２は前記搬送手段と前記排紙手段を駆動するように構成されている。この様に駆動系統を２つに分けることにより、原稿給紙部における原稿の分離駆動制御若しくは給紙又は停止のために第１のモータに急激な負荷が懸かっても、第２の読取装置の読取部の原稿を走行させるための駆動力は別の第２の駆動モータによるため、原稿の搬送速度の安定性は確保される。
【００３１】
このようにして、原稿の搬送速度の安定性と読取部での原稿の密着走行性は確保されたものの、上記したように、画像読み取り部のコンタクトガラスやバックアップガイドには原稿の紙紛、原稿上インキ、トナー等の汚れが付着するためにその都度又は定期的にクリーニング等のメンテナンスが必要である。
【００３２】
このため、本装置においては、ＡＤＦを構成する上方ユニット内の読取部における原稿搬送路を開放してコンタクトガラス面及びバックアップガイド面を容易に露出させることができるように構成している。
【００３３】
図３は、ＡＤＦを構成する上方ユニット３を開いた状態を示す正面図である。図３に示すように、第１のイメージセンサ４０とバックアップガイド手段を内蔵するＡＤＦは、前記第２のイメージセンサ２０と前記シートスループラテン２１とそれに隣接するブックプラテン３５とを収納する下方ユニット２に対して開閉自在に取り付けられている。
【００３４】
ここで、本発明においては、第１のイメージセンサ４０に対向するガイドユニット６６は、ネジ６５でプラテンカバー６０側から着脱可能に取り付けられる。上方ユニット３の下面は、下方ユニット２の上に閉じられたときに、下方ユニット２において原稿の他方の面を読み取るための第２のイメージセンサ２０を下方に配置する前記プラテンに接し、前記バックアップガイド手段は、前記プラテンに当接するプラテンカバー６０の内側に配置される。ここで、前記プラテンカバーは、少なくとも前記ガイドユニット６６を収納する部分が着脱可能に剥がれるように構成される。
【００３５】
図４は、図３で示したプラテンカバーを剥がした状態を示す。ガイドユニット６６側のプラテンカバー６０の両端にはそれぞれ取付具が設けられており、各々１本のネジ６４で上部筐体６ａに取り付けられている。この２本のネジ６４を取り外すとプラテンカバー６０は、手前側に簡単に剥がすことかできる。このプラテンカバー６０を剥がすと、ガイドユニット６６が露出する。
【００３６】
図５は、ガイドユニット６６を取り外した状態を示した図である。ここでは、ガイドユニット６６は両端の各々２箇所をネジ６５で上部筐体６ａに固定されている。ガイドユニット６６を取り外すには、ネジ６５を取り外しガイドユニット６６を上部筐体６ａから引き出すようにして取り外しが可能となる。そして、ガイドユニット６６を取り外すことにより前記第１のイメージセンサ４０のコンタクトガラス６３が露出する。これによって、コンタクトガラス６３や搬送ガイド４７、バックアッププレート４３のクリーニングが可能となる。そして、クリーニングの終了後は、上記取り外しの逆の手順による取り付けを行う。
【００３７】
図６は、本発明の他の実施の形態を示す。ここでは、前記バックアップガイド手段が、原稿搬送方向の下流側の排紙ローラ軸を支点に回動可能に支持されることにより、前記第１のイメージセンサの読取面のコンタクトガラス６３と該読取面に接するバックアップガイド４６面が露出するように構成される。当実施の態様によればネジを外す必要がないのでより短時間でのメンテナンスが可能となる。
【００３８】
図６の（ａ）は、ガイドユニット６６がプラテンカバー５５の一部に一体的に取り付けられており、排紙ローラ対を構成する一方のローラ５７の回転軸を支点として回動可能に構成されている。これによって、ガイドユニット６６を上方ユニット３に対して回動させることにより、第１のイメージセンサ４０のコンタクトガラス６３面とバックアップガイド５４面を露出させることができる。ここで、ガイドユニット６６とプラテンカバー５５の筐体６ａへの取り付けはネジを用いずに他の公知の嵌合手段を利用しても良い。
【００３９】
図６の（ｂ）は、上方ユニットの筐体からプラテンカバー５６の一部を剥がした後、排紙ローラ対の一方のローラ５８の回転軸を支点として、ガイドユニット６６を回動させるものである。ここでも、ガイドユニット６６とプラテンカバー５６の筐体６ａへの取り付けはネジを用いずに他の公知の嵌合手段を利用しても良い。この場合、前記プラテンカバー５６は、上方ユニットの筐体に対して、ネジを用いることなく、例えばマジックテープ等により着脱可能に取り付けるように構成しても良い。
【００４０】
図７は、本装置における原稿の読み取りにおいて、各センサと各モータとのタイミングをタイミングチャートの例を示す。
【００４１】
図１及び図５において、エンプティセンサ（図示せず）が原稿トレイ５上に原稿が載置され、且つ原稿読み取り指示が行われると給紙モータが正回転駆動して一枚目の原稿シートの給紙を開始する。原稿給紙後、レジストセンサ６１が１枚目の原稿の先端を検知した後一定時間（ｔ１）は後給紙モータの回転を継続して原稿シート先端部をレジストローラ対１４に突き当て撓ませるようにする。その後、給紙モータは停止後一定時間（ｔ２）後に今度は逆回転することにより、レジストローラ対１４を駆動して１枚目の原稿を下流側に送る。
【００４２】
次に、リードセンサ６２が一枚目の原稿先端を検知する同時に給紙モータは停止する。一方搬送モータは、リードセンサ６２が原稿先端を検知後一定時間（ｔ４）だけその回転を継続して停止する。その後、読み取りのタイミングを調整した後に、原稿の一方の面の第２の読取手段２０による読み取りのため駆動を開始する。そして、１枚目の原稿シートは搬送モータによりそのまま搬送されることにより第１の読取手段４０によって原稿の他方の面が読み取られるのである。
【００４３】
１枚目の原稿シートが搬送され読み取られている際に、エンプティセンサが原稿トレイ上に２枚目以降の原稿検出を継続している場合、１枚目の原稿シートの後端がレジストセンサを通過してから所定時間（ｔ３）経過後に、２枚目の原稿シートが給紙される。これによって、１枚目の原稿シートと２枚目の原稿シート間に所定の間隔が確保される。
【００４４】
そして、レジストセンサ６１が２枚目の原稿の先端を検知してレジストローラ対１４に原稿シートの先端を当接させる。このようにして、２枚目以降の原稿シートも１枚目のものと同様に給紙及び搬送制御されることとなる。
【００４５】
以上詳しく説明したように、本発明においては、下方の画像読取装置に対して開閉自在に取り付けられる上方ユニットを構成する自動原稿送り装置であって、前記上方ユニットは、前記原稿シートの一方の面の画像を読み取るための第１のイメージセンサと、該イメージセンサの読取面と対向して搬送される原稿シートを前記読取面側に押圧するためのバックアップガイド手段と、を収納し、前記バックアップガイド手段は、前記上方ユニットにおいて下方の画像読取装置側に着脱可能に構成した。
【００４６】
これにより、本発明は、ＡＤＦユニット内に内蔵される読取手段の読取部における原稿シートの安定的な密着走行性とメンテナンス性に優れたＡＤＦと当該ＡＤＦを搭載した画像読取装置を実現したのである。
【図面の簡単な説明】
【図１】本発明に係る画像読取装置に搭載されたの自動原稿送り装置の全体縦断面図を示す。
【図２】図１に示した自動原稿送り装置における読取部の拡大断面図を示す。
【図３】図１に示した自動原稿送り装置を開いた状態の正面図を示す
【図４】図３に示したプラテンカバーの一部を剥がした状態の正面図を示す
【図５】自動原稿送り装置からガイドユニットを取り外した状態の正面図を示す。
【図６】自動原稿送り装置からガイドユニットを取り外す他の実施例の概略図を示す。
【図７】自動原稿送り装置におけるセンサと駆動モータの動作制御を説明するタイミングチャートの例を示す。
【符号の説明】
１  画像読取装置
２  下方ユニット
３  上方ユニット
６ｂ  原稿導入口
６ｃ  原稿排出口
１０  搬送経路
２０  第２の光学読取装置
４０  第１の光学読取装置
４３  バックアッププレート
４６  バックアップガイド
４７  搬送ガイド
５０  排紙ローラ対
６０  プラテンカバー
６１  レジストセンサ
６２  リードセンサ
６３  コンタクトガラス
６４  ネジ
６５  ネジ
６６  ガイドユニット
Ｘ１  読取ライン
Ｘ２  読取ライン
【図１】
0003571288.tif 000002
【図２】
0003571288.tif 000003
【図３】
0003571288.tif 000004
【図４】
0003571288.tif 000005
【図５】
0003571288.tif 000006
【図６】
0003571288.tif 000007
【図７】
0003571288.tif 000008